(57)【要約】      （修正有）【課題】バッジの機能に名札、カード立ての機能を追加して一体化することにより、名札、カード立てとして使用でき、そのカード等の識別を容易なものにし、更にバッジの紛失を防止する役割も果たした、名札、カード立て機能付きバッジを提供する。【解決手段】バッジ本体1の装飾部２の上部に切り込み４を１ヶ所又は、複数設けることによりカード類を差し込め、立てられるようにする。また、その切り込み４はバッジを水平面に設置したときに垂直面に対し、傾斜して設ける。更に、バッジ本体１の装飾部２に文字、模様、写真、色等の図柄３を入れる。以上のことにより、識別のしやすい名札、カード立てとして利用でき、バッジの紛失防止にも役立つ。【選択図】図１
0003144346.tif 000002
【実用新案登録請求の範囲】
【請求項１】
バッジの装飾部上部に切り込みを1ヶ所又は、複数設けられている名札、カード立て機能付バッジ。
【請求項２】
前記切り込みがバッジを水平面に設置したときに垂直面に対して傾斜が設けられていることを特徴とする前項1記載の名札、カード立て機能付バッジ。
【請求項３】
装飾部に文字、模様、写真、色等の装飾を入れることを特徴とする、請求項1又は請求項2の名札、カード立て機能付バッジ。
【考案の詳細な説明】
【技術分野】
【０００１】
本考案は、衣服、かばん、帽子などに取り付けられるバッジでありながら、名札、名刺、写真などのカード状の物を差し込め、立てられるよう切り込みを設けた、名札、カード立て機能付のバッジに関するものである。
【背景技術】
【０００２】
従来は、衣服、かばん、帽子などに取り付けられ、徽章、記章、装飾品などとされ、名札やカード立てとは別のものとして使用されてきた。
【考案の開示】
【考案が解決しようとする課題】
【０００３】
バッジと名札、カード立てを別々に購入することは経済的に負担である。  また、バッジを使用していない時間、期間を有効に使用しておらず、小さな装身具であることから紛失しやすいものである。  また、カード立てによってはカードに記載された内容の識別が難しい場合があり、更に、機能を果たすのみで簡素である。  従って、バッジの機能と名札、カード立ての機能を一体化することにより、衣服、かばん、帽子などへの装着時だけでなく、装着時以外の有効な使用が可能となり、また、切り込みに傾斜を設け、装飾部に装飾を施すことにより、前述の欠点を解決しようとするものである。
【課題を解決するための手段】
【０００４】
本考案は以下の各項により、問題点を解決している。
(1)バッジの装飾部上部に切り込みを1ヶ所又は、複数設けることにより、カード類を差し込め、立てられるようにすること。
(2)前記切り込みはバッジを水平面に設置したときに垂直面に対し、傾斜して設けられていること。
(3)前記バッジの装飾部に文字、模様、写真、色等の装飾を入れること。
【考案の効果】
【０００５】
(1)上述のように本考案の名札、カード立て兼用バッジは、従来のバッジの使い心地や装着の容易さは勿論のこと、カード類が立てられるように装飾部の上部に切り込みを1ヶ所又は、複数箇所設けたので、バッジを衣服、かばん、帽子などへの装着時に名刺等の名前の書かれたカードを差し込むことで名札として使用できる。また、装着していない時間や期間を名刺、写真等のカード類を立てられるカード立てとして有効的に使用できる。更に、バッジよりも大きいカード類を差し込み、立てることにより、目印となり、紛失防止として役立つ。  また、一対以上のバッジに一枚のカードを立てることにより安定し、装飾部が複数となることで装飾の効果が高まる。
(2)カード立てとなる切り込みが水平面に設置したときに垂直面に対して傾斜するよう設けたので、差し込むカード等に記載されている文字、絵などの模様、写真、色等の装飾が容易に識別できるようになる。
(3)差し込むカード等の文字、絵などの模様、写真、色等の装飾と同じ又は、一体感を与える装飾を設けたので、名札、カード立ての機能だけでなく、名札、カード類を際立たせる効果を持ち差別化が図れる。
【考案を実施するための最良の形態】
【０００６】
バッジは形状や素材に関わらないが、金属、合成樹脂、ガラス、布、ゴム、木、象牙、石等をプレス、カット、削り、曲げ、つなぎ等の技術を用いて成形する方法が好ましい。留め方は様々な種類が可能である。オスネジを装飾部の裏側に設置し、メスネジで留めるネジタイプ。ピンとピンを引っ掛ける部分が一体となっているタイプ。装飾部の裏側にピンを設置し、受け金具で固定するピンタイプ。ピンタイプには、短めのピンの留め具として、タイタック用留め具、スモールキャッチ、バタフライキャッチなどが良い。また、長めのピンを使用しスティックピンとして利用することも可能である。いずれのタイプにおいても、装飾部や留め具または、その両方に鎖や紐などを付け、落下を防止し、装飾の効果を高めても良い。切り込みは、素材をカットしたものや素材を折り返したようなクリップ状やプレスにより成型された物でも良い。表面加工はメッキ、塗装、蒸着、印刷、彫刻、刺繍、七宝、樹脂入れ、レーザーマーキングなどによる方法を用い、文字、模様、写真、色等の装飾を表現する。
【実施例】
【０００７】
以下、添付図面に従って実施例を説明する。
【０００８】
図1は、名札、カード立て機能付バッジ本体の実施例を示す斜視図である。1は金属等適宜素材にて形成されたバッジ本体である。2は装飾部であり、3の図柄にはCSのロゴマークが描かれている。その図柄は限定せず、文字、模様、写真、色等の装飾を入れられる。装飾部の上部には切り込み4を入れる。切り込みは複数設けることもできる。装飾部の裏側にはピン5を溶接し、衣服、かばん、帽子などに通した後、留め具6で落下しないよう固定する。
【０００９】
図2は、図1に示すバッジ本体1をジャケットの襟7にピン5を刺し通し、留め具6で固定し、切り込み4にカード8を差し込み名札としての使用例である。
【００１０】
図3は、バッジ本体1を水平面に置き、カード8を差し込み、立てたカード立ての使用例であり、ネームプレートとしても利用できる。切り込み4は、バッジ本体1を水平面に設置したときに垂直面に対して傾斜するよう設けたのでカードに書かれた内容が識別しやすい。また、バッジの装飾部2には図柄3としてロゴマークが施されており、差し込むカードとして選んだものにも同じロゴマークを印刷したので一体感を持ち、相乗効果により、良いイメージを与える。更に、カードが立てられることにより、目印となり紛失の防止に役立つ。
【産業上の利用可能性】
【００１１】
団体旅行、企業、学校などの団体では、その団体を特定するためにバッジを付けることがある。更に個人やグループを特定するために名札を付けたり、会議、パーティーにはネームプレートを置く必要があった。本考案のバッジを利用することにより、名札のホルダーやネームプレート台の必要がなくなり、名刺などのカードを用意し差し込めば、簡単に名札兼用のバッジとなる。  また、バッジは通常、他のアクセサリーと同様でジャケット、シャツ、ネクタイなどの衣服、かばん、帽子などに着用しているとき以外は、ポケットやデスクや棚の上など、次の着用まで、様々な所に置かれる。本考案のバッジを利用することにより、衣服、かばん、帽子などに装着していない時間や期間をカード立てとして有効に利用できる。  更に、衣服、かばん、帽子などを販売する際に、本考案のバッジを衣服、かばん、帽子などに装着したまま、或は、ディスプレーに設置したまま、ショップカード、商品案内カード、値札などを差し込めばPRや表示札として利用出来るという利点がある。  バッジはプレゼントとして購入されることも多く、プレゼントをする購入者はプレゼントを贈られる利用者に対し、より多くの機会や時間の使用を願うものである。  本考案のバッジは、利用する場所を自宅や職場など限定せず、いつでもどこでも使用でき、プレゼントする者は、写真やメッセージカードなどと一緒に贈れば、利用者はバッジの衣服、かばん、帽子などに装着しなくても、すぐにカード立てとして使用できる。
【図面の簡単な説明】
【００１２】
【図１】本考案の名札、カード立て機能付バッジ本体の実施例を示す斜視図である。
【図２】本バッジをジャケットの襟に装着し、カードを差し込んだ状態を示す正面図である。
【図３】本バッジを水平面に設置し、カードを立てた状態を示す斜視図である。
【符号の説明】
【００１３】
１    バッジ本体
２    装飾部
３    図柄
４    切り込み
５    ピン
６    留め具
７    ジャケットの襟
８    カード
【図１】
0003144346.tif 000003
【図２】
0003144346.tif 000004
【図３】
0003144346.tif 000005
【手続補正書】
【提出日】平成20年6月26日(2008.6.26)
【手続補正１】
【補正対象書類名】図面
【補正対象項目名】全図
【補正方法】変更
【補正の内容】
【図１】
0003144346.tif 000006
【図２】
0003144346.tif 000007
【図３】
0003144346.tif 000008
【手続補正２】
【補正対象書類名】明細書
【補正対象項目名】０００８
【補正方法】変更
【補正の内容】
【０００８】  図1は、名札、カード立て機能付バッジ本体の実施例を示す斜視図である。1は金属等適宜素材にて形成されたバッジ本体である。2は装飾部であり、3の図柄にはAのロゴマークが描かれている。その図柄は限定せず、文字、模様、写真、色等の装飾を入れられる。装飾部の上部には切り込み4を入れる。切り込みは複数設けることもできる。装飾部の裏側にはピン5を溶接し、衣服、かばん、帽子などに通した後、留め具6で落下しないよう固定する。